(57)【特許請求の範囲】
【請求項１】
集合住宅用の共用廊下と、この共用廊下に対向する共用天井と、この共用天井と共用廊下とを連接する位置に配置される共用壁と、この共用壁の一部に組み込まれる住戸用玄関と、により構成される共用空間を共用天井に配置される照明器具により照射する集合住宅用の照明システムであって、
前記共用壁は、前記住戸用玄関の上框よりも共用天井に近い天井側領域と、前記住戸用玄関の上框よりも共用廊下に近い廊下側領域と、を含み、前記天井側領域における平均照度が廊下側領域の平均照度よりも大きく、
前記照明器具の光源は、微小光源が複数並べた形とされ、当該照明器具が前記共用天井に設置された状態で、その光軸が前記共用壁の天井側領域側に向くようにされ、
前記住戸用玄関のドアノブにおける平均照度が、前記廊下側領域内のドアノブ近傍以下の領域における平均照度よりも大きいことを特徴とする集合住宅用の照明システム。
【請求項２】
前記照明器具は、前記共用廊下の長手方向に沿って相反する２方向に光を照射することを特徴とする請求項１に記載の集合住宅用の照明システム。
【請求項３】
前記共用空間は、共用壁と対向して共用廊下に立設される共用手摺を有し、
前記共用天井の開口縁と前記共用手摺の上縁とで囲まれた外側領域に向かう照明器具からの直射光を遮光する遮光部を有することを特徴とする請求項１に記載の集合住宅用の照明システム。
【発明の詳細な説明】
【技術分野】
【０００１】
本発明は、一般の集合住宅等の共用空間における共用廊下を、天井に配置された照明器具により照明する集合住宅用の照明システムに関する。
【背景技術】
【０００２】
この種の照明システムとして、共用廊下に沿った各住戸の玄関前などの天井に照明器具を設置して照明するものが知られている（特許文献１参照）。この種の照明システムの構成例を図１７に示す。この照明システムにおいて、照明器具１００は、共用空間１０１内の共用廊下１０２に立設する共用壁１０３に沿って離散的に配置された住戸用の玄関１０４の前の天井１０５に設置され、共用廊下１０２に向けて照明する。照明器具１００は白熱球などの光源を用いて照射し、その配光パターン１０６は共用壁１０３側を正面に見たとき、照明器具１００側から共用廊下１０２に向け末広がりとなって、玄関１０４を中心に照射する釣鐘形状を成している。
【先行技術文献】
【特許文献】
【０００３】
【特許文献１】特開２００５−２３５６３４号公報
【発明の概要】
【発明が解決しようとする課題】
【０００４】
この種の照明システムにおいては、共用廊下１０２を照明した際、共用壁１０３で離散的に配置される玄関１０４と共用壁１０３とによる明暗のコントラストが繰返され、玄関１０４上端から下方で輝度むらが見え易い。このため、共用廊下１０２を長手方向に見たとき、共用廊下１０２の見通しが良くない。また、玄関１０４を中心に照明するので、共用壁１０３は人の目線より高く玄関１０４より上方の天井側領域の照度が、それより下方の共用廊下１０２に近い廊下側領域の照度より低くなる。このため、明るさ感を得難い。
【０００５】
本発明は、上記問題を解決するためになされたものであり、集合住宅の共用廊下を共用天井に配置された照明器具により照射する集合住宅用の照明システムにおいて、共用廊下の見通しが良く、明るさ感を得易い照明システムを提供することを目的とする。
【課題を解決するための手段】
【０００６】
上記目的を達成するために本発明の照明システムは、集合住宅用の共用廊下と、この共用廊下に対向する共用天井と、この共用天井と共用廊下とを連接する位置に配置される共用壁と、この共用壁の一部に組み込まれる住戸用玄関と、により構成される共用空間を共用天井に配置される照明器具により照射する集合住宅用の照明システムであって、前記共用壁は、前記住戸用玄関の上框よりも共用天井に近い天井側領域と、前記住戸用玄関の上框よりも共用廊下に近い廊下側領域と、を含み、前記天井側領域における平均照度が廊下側領域の平均照度よりも大きく、前記照明器具の光源は、微小光源が複数並べた形とされ、当該照明器具が前記共用天井に設置された状態で、その光軸が前記共用壁の天井側領域側に向くようにされ、前記住戸用玄関のドアノブにおける平均照度が、前記廊下側領域内のドアノブ近傍以下の領域における平均照度よりも大きいことを特徴とする。
【０００８】
この集合住宅用の照明システムにおいて、前記共用廊下の長手方向に沿って相反する２方向に光を照射することが好ましい。
【０００９】
この集合住宅用の照明システムにおいて、前記共用空間は、共用壁と対向して共用廊下に立設される共用手摺を有し、前記共用天井の開口縁と前記共用手摺の上縁とで囲まれた外側領域に向かう照明器具からの直射光を遮光する遮光部を有することが好ましい。
【発明の効果】
【００１０】
本発明の集合住宅用の照明システムによれば、共用壁と住戸用玄関とによる明暗のコントラストが繰返され輝度むらが見え易い廊下側領域に比べ、人の目線より高く共用壁のみの均質な壁面の天井側領域が明るく照射される。従って、輝度むらが見え難く、かつ、目線に入る光が多くなるので、共用廊下の見通しが良くなり、明るさ感が得易くなる。また、玄関ドアの鍵穴を探すことが容易となります。
【図面の簡単な説明】
【００１１】
【図１】本発明の第１の実施形態に係る集合住宅用の照明システムの構成図。
【図２】同上照明システムの照明器具の斜視図。
【図３】（ａ）は同上照明システムの照明器具による共用壁照度分布図、（ｂ）は従来の照明システムの照明器具による共用壁照度分布図。
【図４】同上照明システムの照明器具による共用廊下の長手方向に沿う共用空間内の配光を示す図。
【図５】同上照明システムの照明器具による共用廊下の短手方向に沿う共用空間内の配光を示す図。
【図６】上記実施形態の変形例の構成図。
【図７】（ａ）は本発明の第２の実施形態に係る集合住宅用の照明システムの共用廊下の短手方向から見た構成及び配光図、（ｂ）は同上照明システムの照明器具の斜視図。
【図８】（ａ）は同上照明システムの照明器具による共用壁照度分布と住戸用玄関との配置関係を示す図、（ｂ）は従来の照明システムの照明器具による共用壁照度分布と住戸用玄関との配置関係を示す図。
【図９】上記実施形態の変形例の構成図。
【図１０】本発明の第３の実施形態に係る集合住宅用の照明システムの共用廊下の長手方向から見た構成及び配光図、（ｂ）は同照明システムの照明器具の斜視図。
【図１１】同上照明システムの照明器具による共用壁に平行、かつ、共用廊下に垂直な面での配光曲線図。
【図１２】（ａ）は同上照明システムによる共用廊下上の床面照度分布図、（ｂ）は従来の照明システムの照明器具による共用廊下上の床面照度分布図。
【図１３】上記実施形態の変形例の構成図。
【図１４】本発明の第４の実施形態に係る集合住宅用の照明システムの構成図。
【図１５】（ａ）は同上照明システムの遮光板による共用廊下の短手方向側での遮光を示す図、（ｂ）は同照明システムの照明器具の斜視図。
【図１６】上記実施形態の変形例の構成図。
【図１７】従来の照明システムによる共用廊下長手方向に沿う共用空間内の配光を示す図。
【発明を実施するための形態】
【００１２】
本発明の第１の実施形態に係る集合住宅用の照明システムについて、図１乃至図５を参照して説明する。図１に示されるように、本照明システムは、集合住宅用の共用空間１０を照明する照明器具１を備える。共用空間１０は共用廊下１１と、この共用廊下１１に対向する共用天井１２と、共用壁１３と、住戸用の玄関１４とにより構成される。共用壁１３は、共用天井１２と共用廊下１１とを連接する位置に配置され、玄関１４はドアノブ１５を有し共用壁１３の一部に組み込まれている。
【００１３】
共用壁１３は、玄関１４の上框よりも共用天井１２に近い天井側領域１３ａと、玄関１４の上框よりも共用廊下１１に近い廊下側領域１３ｂとを含む。本実施形態の照明システムは、天井側領域１３ａにおける平均照度が廊下側領域１３ｂの平均照度よりも大きくなるように照明するものである。ここでは、共用廊下１１の長手方向をＸ方向とし、短手方向をＹ方向とし、人Ｍは共用廊下１１に沿ってＸ方向に進む。
【００１４】
図２は、照明器具１の構成を示す。照明器具１は矩形の筐体より成る器具本体２と、器具本体２に取付けられる光源３とを有する。光源３は、例えば、ＬＥＤのような微小光源を複数並べた形とされ、照明器具１が共用天井１０２に設置された状態で、その光軸４が共用壁１３の天井側領域１３ａ側に向くように器具本体２に固定される。なお、光源３はＬＥＤに限定されず他の光源でもよく、また、天井側領域１３ａを照射可能であれば、その配置の制約はない。また、器具本体２は光源３を照射方向に向けて取付けられれば、矩形以外の形状であってもよい。
【００１５】
図３（ａ）は、照明器具１からの照射光による共用壁１３上の共用壁照度分布１６ａを示す。図３（ｂ）は比較のための、従来の照明システム（図１７参照）による共用壁照度分布１６ｂを示す。共用壁照度分布１６ａ、１６ｂは、共用空間１０の広さ、共用空間１０の反射率、及びランプ光束を互いに同じ条件として計算により求めている。ここでは、例えば、共用空間１０は間口１４．４ｍ、奥行１．５ｍ、天井高さ２．７ｍであり、共用廊下１１、共用天井１２、及び共用壁１３の各面の反射率はそれぞれ１０％、５０％、及び３０％とし、ランプ光束を２２１０（ｌｍ）としている。照明器具１の配光の計算は、例えば、英国の照明学会で策定された配光のＢＺ分類（British Zonal Classification）等を用い、照射方向に光軸を向けた複数の微小光源による配光を組合わせるなどして行い、全体として所望の照明器具配光を得ている。
【００１６】
本照明システムの共用壁照度分布１６ａは、従来の照明システムの共用壁照度分布１６ｂと比べ、天井側領域１３ａで高い照度レベルが広範囲に分布し、照明器具１からの照射光が天井側領域１３ａ側に、より集中して配光されている。
【００１７】
下記表１に、本照明システムと従来の照明システムにおけるそれぞれの天井側領域１３ａと廊下側領域１３ｂとに対して算出された、平均照度、最小照度、最大照度、最小照度と平均照度との比（Ｇ１）、及び最小照度と最大照度との比（Ｇ２）を示す。これら各照度の単位はルックス（ｌｘ）で示される。表１に示すように、本照明システムと従来の照明システムとの天井側領域１３ａと廊下側領域１３ｂにおける平均照度の比は、それぞれ約４（１１２／２８．５）及び約３．６（４０．５／１１．３）となる。すなわち、本照明システムでは従来の照明システムに比べて、天井側領域１３ａが廊下側領域１３ｂより、より明るく照射される。
【００１８】
【表１】
0005623846.tif 000002
【００１９】
図４は、本照明システムにおいて、共用空間１０内で共用廊下１１の長手方向を見たときの概略の配光パターン１７ａを示し、図５は共用廊下１１の短手方向を見たときの配光パターン１７ｂを示す。これらの配光パターン１７ａ、１７ｂは、白黒の濃淡の黒い方が明るく、白い方が暗いことを示し、天井側領域１３ａの平均照度が廊下側領域１３ｂの平均照度よりも明るくなるように照射されていることを示す。
【００２０】
本実施形態の照明システムによれば、共用壁１３のみの均質な壁面である天井側領域１３ａが、玄関１４と共用壁１３とのコントラストが繰返され輝度むらが見え易い廊下側領域１３ｂよりも明るく照射される。従って、天井側領域１３ａが明るいことにより、廊下側領域１３ｂで発生する輝度むらが見え難くなり、見通しが良くなると共に、人Ｍの目線よりも高い位置が明るくなり、明るさ感が得易くなる。
【００２１】
また、天井側領域１３ａを照明していることから、玄関１４を出入りする際に、照明によるまぶしさを防ぐことができる。また、光源３にＬＥＤを用いることにより、照明器具１を小さくすることができ、省エネルギ化することができると共に、照明器具１を共用天井１２に取り付けた際に、頭上の圧迫感がなく、見通し易くなる。
【００２２】
図６は、上記実施形態の変形例を示す。この変形例は、照明器具１の光源３を１つにしたものである。照明器具１は、器具本体２に固定され光源３からの光を反射する反射板５を有する。反射板５は天井側領域１３ａを照射するように照明器具１に固定される。なお、反射板５は光源３からの光を天井側領域１３ａ方向に照射できるものであれば、その形状は制約されない。
【００２３】
この変形例によれば、光源数を減らせることにより、初期及びランニングコストが軽減されると共に、ランプ交換が１箇所だけなので、交換作業が軽減される。また、複数の光源間での光色の不一致が発生せず、また、光源３からの光を反射板５で集光して天井側領域１３ａ方向に照射するので、光源３そのものを照射方向に傾けて固定することによる不安定性の問題が軽減される。
【００２４】
次に、本発明の第２の実施形態に係る集合住宅用の照明システムについて、図７及び図８を参照して説明する。本実施形態の照明システムは、玄関１４のドアノブ１５の領域における平均照度が、廊下側領域１３ｂ内のドアノブ１５近傍以下の領域における平均照度よりも大きくしたものである。
【００２５】
図７（ａ）に示されるように、本照明システムの照明器具１は、天井側領域１３ａを照射する光源３ａに加え、玄関１４のドアノブ１５を照射する複数の光源３ｂを、さらに備え、ドアノブ領域をそれ以下の領域より、より明るく照射する。
【００２６】
図７（ｂ）に示されるように、光源３ｂは天井側領域１３ａに対向する器具本体２の側面に光源３ａと共に配置され、光源３ｂの光軸４は玄関１４のドアノブ１５の方向に向けて設定される。照明器具１は、共用天井１２に設置される際、光源３ｂがドアノブ１５を照射するようにその光軸４を傾けて器具本体２に固定し、ドアノブ領域の平均照度がドアノブ領域以下の領域の平均照度よりも大きくなるように照明する。なお、光源３ｂは光源３と同様の光源から成る。
【００２７】
図８（ａ）は、本照明システムによる共用壁照度分布１６ｃと、この共用壁照度分布１６ｃによる玄関１４のドアノブ領域及びそれ以下の領域（それぞれ破線枠で示す）における照射状態を示す。図８（ｂ）は比較のための、従来の照明システム（図１７参照）の共用壁照度分布１６ｂと、この共用壁照度分布１６ｂによるドアノブ領域及びそれ以下の領域における照射状態を示す。これら図８（ａ）、（ｂ）に示されるように、本照明システムにおいては、従来の照明システムと比較して、ドアノブ領域はそれ以下の領域より、照射レベルが高く、より明るく照射される。
【００２８】
下記表２に、本照明システムと従来の照明システムとにおいて、ドアノブ領域と、それ以下の領域とに対して算出された平均照度、最小照度、最大照度、最小照度と平均照度との比（Ｇ１）、及び最小照度と最大照度との比（Ｇ２）を示す。表２に示されるように、本照明システムと従来の照明システムとにおけるドアノブ領域とそれ以下の領域との平均照度の比は、それぞれ約１．７（３４．５／２０．３）と約１．４（１５．８／１１．０）となっている。すなわち、本照明システムは従来の照明システムに比べ、ドアノブの領域をそれ以下の領域より、より明るく照射することができる。
【００２９】
【表２】
0005623846.tif 000003
【００３０】
本実施形態によれは、玄関１４のドアノブ領域における平均照度は、それ以下の領域の平均照度より、従来に比べ、より明るくなるので、玄関ドアの鍵穴を探すことが容易となる。
【００３１】
図９は、上記実施形態の変形例を示す。この変形例は、照明器具１の光源３を１つにし、光源３からの光を少なくとも２方向に反射する反射板５を備える。反射板５は、光源３からの光を天井側領域１３ａ方向に反射する反射面と、玄関１４のドアノブ１５の方向に反射する反射面とを有する。これにより、１つの光源３からの光を１つの反射板５により、天井側領域１３ａと、ドアノブ領域との両方を照射することができ、構成が簡単になる。なお、反射板５は光源３からの光を天井側領域１３ａ方向とドアノブ１５の方向とに照射できるものであれば、その形状は制約されない。
【００３２】
次に、本発明の第３の実施形態に係る集合住宅用の照明システムについて、図１０乃至図１２を参照して説明する。本実施形態の照明システムは、前記実施形態において、照明器具１が共用廊下１１の長手方向に沿って相反する２方向に光を照射するものである。
【００３３】
図１０（ａ）（ｂ）に示されるように、本照明システムにおいては、照明器具１は前記実施形態において、共用廊下１１の長手方向に沿って相反する２方向をそれぞれ照射する光源ｃを、さらに備える。光源３ｃは光源３ａ、３ｂと同様の光源から成り、共用廊下１１の長手方向に沿って相反する器具本体２の両側面に固定される。また、光源３ｃは、その光軸４が共用廊下１１の長手方向に沿ってその共用廊下１１に一定の傾斜を成すように配置される。ここでは、配光パターン１７ａは共用廊下１１の長手方向に照射光が拡張された形状となる。
【００３４】
図１１は、照明器具１の照射特性を基に計算された、共用廊下１１の長手方向に沿い共用廊下１１に垂直な面における配光曲線２０ａと、共用廊下１１の短手方向に沿い共用廊下１１に垂直な面における配光曲線２０ｂとの円グラフを示す。配光曲線２０ａは共用壁１３に平行な面内で照明器具１を中心とする円周に沿って算出された照射レベルを結ぶ曲線からなり、配光曲線２０ｂは共用廊下１１の長手方向に垂直な面内で照明器具１を中心とする円周に沿って算出された照射レベルを結ぶ曲線からなる。
【００３５】
配光曲線２０ａは、円グラフの角度０°から左右の回転角方向に対称に変化し、共用廊下１１の長手方向に沿って相反する２方向のプラスマイナス４５°近傍で、ほぼ最大の照射レベルとなっている。これにより、照明器具１はその直下から共用廊下１１の長手方向に向けて広く照射するようになる。また、照明器具１は、配光曲線２０ｂにより、例えば共用壁１３の玄関１４側に向けて照射することができる。
【００３６】
図１２（ａ）は、本照明システムの照明器具１により照明される共用廊下１１の床面照度分布２１ａを示し、図１２（ｂ）は、比較のための従来の照明システムによる床面照度分布２１ｂを示し、それぞれＰ点に配置された２つの照明器具による照度分布を示す。なお、Ｐ点は共用天井１２における各照明器具の中心点の位置を示す。本照明システムにおいては、その床面照度分布２１ａの照度が１５（ｌｘ）から２５（ｌｘ）の範囲で分布し、これに対し、従来の床面照度分布２１ｂでは、照度が約１０（ｌｘ）から７０（ｌｘ）の範囲で分布している。また、本照明システムは、２つの離れた照明器具１の境界領域での照明器具１の中心領域に対する照度低下の程度が従来の照明システムに比べて少ない。従って、本照明システムの床面照度分布２１ａは従来の床面照度分布２１ｂに比べ平準化されている。
【００３７】
下記表３に、本照明システム及び従来の照明システムによる照明にそれぞれ対応して、共用廊下１１の床面全体で算出した平均照度、最小照度、最大照度、最小照度と平均照度との比（Ｇ１）、及び最小照度と最大照度との比（Ｇ２）を示す。表３に示されるように、本照明システムにおいては、最小照度と平均照度との比（Ｇ１＝０．５６０）と最小照度と最大照度との比（Ｇ２＝０．４３２）は、従来の照明システムのＧ１＝０．１５７とＧ２＝０．０５９と比べそれぞれ大きくなっている。従って、本照明システムは、従来の照明システムと比較して平均照度、最小照度、及び最大照度の値を互に接近させ、床面照度分布を平準化している。
【００３８】
【表３】
0005623846.tif 000004
【００３９】
この照明システムによれば、従来の照明システムと比較して、床面照度分布２１ａが従来の床面照度分布２１ｂに比べ平準化され、床面全体で最小照度と最大照度の差が少なるので、共用廊下１１の照明の均斉度が良くなる。従って、離れて配置された照明器具１の間が暗くなることにより生じる輝度むらを低減することができる。
【００４０】
図１３は、上記実施形態の変形例を示す。この変形例は照明器具１の光源３を１つとし、光源３からの光を共用廊下１１の長手方向に沿って相反する方向に反射する複数の反射板５ａをさらに有している。反射板５ａは器具本体２における共用廊下１１の長手方向の両端側にそれぞれ固定され、光源３からの光をそれぞれ相反する方向に反射する。この変形例によれば、照明器具１は反射板５ａにより、１つの光源３からの光を共用廊下１１の長手方向に沿って相反する方向に照射できるので、簡単な構成で共用廊下１１の照明の均斉度が良くなる。
【００４１】
次に、本発明の第４の実施形態に係る集合住宅用の照明システムについて、図１４及び図１５を参照して説明する。本実施形態の照明システムにおいては、図１４に示されるように、共用空間１０は共用壁１３と対向して共用廊下１１に立設される共用手摺２２を有し、外側領域に向かう照明器具１からの直射光を遮光する遮光板（遮光部）６を有する。遮光板６は、共用天井１２の開口縁と共用手摺２２の上縁とで囲まれた外側領域へ進む照明器具１からの直射光を遮光する。
【００４２】
共用手摺２２は、共用壁１３と平行に対向して共用廊下１１に立設される共用手摺壁を有し、この共用手摺壁の高さ方向の上縁が手摺となっている。共用天井１２の開口縁は、共用手摺２２の上縁から共用天井１２までの共用空間１０の開口における周縁から成り、この開口縁と共用手摺２２の上縁とで囲まれる開口から見た共用空間１０の外側が外側領域となる。遮光板６は、外側領域に向かう照明器具１からの直射光を遮光するように、照明器具１に取付けられる。なお、遮光板６は共用天井１２側に取付けてもよい。
【００４３】
図１５（ａ）に示されるように、遮光板６は器具本体２の共用手摺２２側の側面に、共用壁１３と対向して装着される。この遮光板６により、照明器具１と共用天井１２と共用手摺２２とで形成される三角領域（ハッチングで示される）を通って外側領域に出射される照明器具１からの直接光が遮断される。なお、遮光板６は共用空間１０内から外側領域に出る直射光を遮光できるものであればよい。また、図１５（ｂ）に示されるように、照明器具１は器具本体２に設けられる複数の光源３（３ａ、３ｂ、３ｃ）の光軸４を外側領域に向けないようにして共用天井１２に固定され、器具本体２の共用手摺２２側の側面には光源３を備えていない。
【００４４】
この照明システムによれば、共用空間１０から照射対象範囲外の外側領域への漏れ光を抑制することができ、漏れ光による光害を低減することができる。また、不要な方向への照明がなくなることにより、エネルギーロスを抑制することができる。
【００４５】
図１６は、上記実施形態の変形例を示す。この変形例は照明器具１の光源３を１つとし、光源３からの光を共用壁１３側に反射する反射板５の裏面側に遮光板６を備えたものである。遮光板６は光源３からの照射光のうち、外側領域に向う直接光を遮光するように、反射板５または照明器具１に固定される。この変形例は外側領域に向う直接光を遮光できると共に、光源３の数が減るので構成が簡単となる。
【００４６】
なお、本発明は、上記の実施形態の構成に限られず、発明の要旨を変更しない範囲で種々の変形が可能である。例えば、上記各実施形態では、共用廊下に沿って片側に住戸用玄関が存在する場合を示したが、共用廊下の両側に住戸用玄関が存在する場合は、照明器具から両側の共用壁の天井側領域や住戸用玄関のドアノブに向けてそれぞれ照明すればよい。また、照明器具からの照射光の指向性を補助するために、光源の出射面の前方や後方、又は側方に、例えば、凹レンズや凸レンズ、又は反射鏡等の光学部材を設けてもよい。
【符号の説明】
【００４７】
１  照明器具
６  遮光板（遮光部）
１０  共用空間
１１  共用廊下
１２  共用天井
１２ａ  開口縁
１３  共用壁
１３ａ  天井側領域
１３ｂ  廊下側領域
１４  住宅用玄関
１４ａ  上框
１５  ドアノブ
２２  共用手摺
２２ａ  上縁
【図２】
0005623846.tif 000005
【図３】
0005623846.tif 000006
【図６】
0005623846.tif 000007
【図８】
0005623846.tif 000008
【図９】
0005623846.tif 000009
【図１１】
0005623846.tif 000010
【図１２】
0005623846.tif 000011
【図１３】
0005623846.tif 000012
【図１６】
0005623846.tif 000013
【図１】
0005623846.tif 000014
【図４】
0005623846.tif 000015
【図５】
0005623846.tif 000016
【図７】
0005623846.tif 000017
【図１０】
0005623846.tif 000018
【図１４】
0005623846.tif 000019
【図１５】
0005623846.tif 000020
【図１７】
0005623846.tif 000021